(57)【要約】      （修正有）【課題】設置および保守がしやすいヒューズ・ブロックを提供する。【解決手段】電力分配箱組立体は、電力分配箱筐体、ヒューズ・ブロック、および複数の鳩目端子を含み得る。ヒューズ・ブロックは、型押しバスバー組立体、複数のスタッド、および筐体を含み得る。型押しバスバー組立体は、主電源部分、複数のヒューズ要素、および複数のヒューズ要素に結合される複数の端子接続部を含み得る。複数の端子接続部の各々は、それぞれのヒューズ要素から、主電源部分およびヒューズ要素が延びる両方の方向に垂直な端子方向に延び得る。【選択図】図１
2020043077.tif 000002
【特許請求の範囲】
【請求項１】
第１の端部から第２の端部に長手方向に延びる主電源部分であって、第１の側端および前記第１の側端の反対側の第２の側端を有する矩形形状の本体を有し、前記第１および第２の側端が前記第１の端部から前記第２の端部に延びる、主電源部分と、
前記主電源部分の前記第１の側端から前記長手方向に垂直なヒューズ方向に延びる、複数のヒューズ要素と、
前記複数のヒューズ要素に結合される複数の端子接続部であって、各々が、（ｉ）それぞれのヒューズ要素から、前記長手方向と前記ヒューズ方向の両方に垂直な端子方向に延び、（ｉｉ）スタッド開口を画定する、複数の端子接続部と、
を備えている、型押しバスバー組立体と、
それぞれ、前記複数の端子接続部に対応する複数のスタッドであって、各々が対応するスタッド開口内に配置される、複数のスタッドと、
前記型押しバスバー組立体を少なくとも部分的に覆い、絶縁材料を含み、前記型押しバスバー組立体および前記複数のスタッドをオーバーモールド成形することによって形成される筐体であって、前記複数のスタッドの各々に対応し、それぞれのスタッドおよび端子接続部に結合するため鳩目端子を受け入れるように構成されるアクセス開口を含む、筐体と、
を含んでなるヒューズ・ブロックであって、
前記主電源部分が電力分配箱スタッドを受け入れるように構成される電力入力開口を画定し、少なくとも１つのヒューズ要素が前記電力入力開口のいずれかの側に配置されるように、前記電力入力開口が前記主電源部分の中間部に配置されていることを特徴とする、ヒューズ・ブロック。
【請求項２】
前記筐体が、少なくとも１つの特定のアクセス開口に関連するインデックス特徴部および関連する特定の端子接続部をさらに備え、前記鳩目端子には対応するインデックスが一致する特徴部がないときに、前記鳩目端子が前記特定の端子接続部と結合するのを前記インデックス特徴部が抑止していることを特徴とする、請求項１に記載のヒューズ・ブロック。
【請求項３】
前記型押しバスバー組立体が、前記ヒューズ方向と反対の位置保証方向に前記第２の側端から延びる位置保証フランジをさらに備えていることを特徴とする、請求項１に記載のヒューズ・ブロック。
【請求項４】
前記位置保証フランジが、前記電力分配箱スタッドの周りに前記型押しバスバー組立体が回転するのを抑止していることを特徴とする、請求項３に記載のヒューズ・ブロック。
【請求項５】
前記筐体が前記筐体の外面上に第１のあり継ぎ特徴部をさらに備え、前記第１のあり継ぎ特徴部が、前記筐体が結合される電力分配箱上の対応する第２のあり継ぎ特徴部と一致するように構成されていることを特徴とする、請求項１に記載のヒューズ・ブロック。
【請求項６】
第１および第２のあり継ぎ特徴部が、２つの軸に沿った前記筐体の動きを抑止するように構成されていることを特徴とする、請求項５に記載のヒューズ・ブロック。
【請求項７】
前記筐体が結合される電力分配箱上の対応する固定部材と一致するように構成される保持部材を前記筐体がさらに含み、前記保持部材および固定部材が、一致した状態で、前記電力分配箱から前記筐体が取り外されるのを抑止していることを特徴とする、請求項６に記載のヒューズ・ブロック。
【請求項８】
前記保持部材および固定部材が、２つの前記軸に垂直な取外し軸における前記筐体の動きを抑止していることを特徴とする、請求項７に記載のヒューズ・ブロック。
【請求項９】
前記筐体が１つまたは複数の絶縁壁をさらに備え、各絶縁壁が、隣接する端子接続部間に配置されていることを特徴とする、請求項１に記載のヒューズ・ブロック。
【請求項１０】
前記型押しバスバー組立体が、（ｉ）単一平面に配置されるバスバー材料の一片を設けること、（ｉｉ）前記スタッド開口、前記電力入力開口、および前記複数のヒューズ要素を形成するためにバスバー材料の前記一片を型押しすること、ならびに（ｉｉｉ）バスバー材料の前記一片を曲げて、前記主電源部分が前記長手方向に延び、前記複数のヒューズ要素が前記ヒューズ方向に延び、前記複数の端子接続部が前記端子方向に延びるように配置することによって形成されていることを特徴とする、請求項１に記載のヒューズ・ブロック。
【請求項１１】
第１の端部から第２の端部に長手方向に延びる主電源部分であって、第１の側端および前記第１の側端の反対側の第２の側端を有する矩形形状の本体を有し、前記第１および第２の側端が前記第１の端部から前記第２の端部に延びる、主電源部分と、
前記主電源部分の前記第１の側端から前記長手方向に平行垂直なヒューズ方向に延びる、複数のヒューズ要素と、
前記複数のヒューズ要素に結合される複数の端子接続部であって、各々が、（ｉ）それぞれのヒューズ要素から、前記長手方向と前記ヒューズ方向の両方に垂直な端子方向に延び、（ｉｉ）スタッド開口を画定する、複数の端子接続部と、
を備えている、型押しバスバー組立体と、
前記複数の端子接続部に対応する複数のスタッドであって、各々が対応するスタッド開口内に配置される、複数のスタッドと、
前記型押しバスバー組立体を少なくとも部分的に覆い、絶縁材料を含み、前記型押しバスバー組立体および前記複数のスタッドをオーバーモールド成形することによって形成される筐体であって、前記複数のスタッドの各々に対応し、それぞれのスタッドおよび端子接続部に結合するため鳩目端子を受け入れるように構成されるアクセス開口を含む、筐体と、
を含んでなるヒューズ・ブロックであって、
前記主電源部分が、電力分配箱スタッドを受け入れるように構成される電力入力開口を画定し、
前記筐体が、少なくとも１つの第１のスタッドをオーバーモールド成形する第１の部分および少なくとも１つの第２のスタッドをオーバーモールド成形する第２の部分を備え、前記第１の部分と前記第２の部分が、最終的な構成でＬ字形状を形成するように配置されていることを特徴とする、ヒューズ・ブロック。
【請求項１２】
前記筐体が、少なくとも１つの特定のアクセス開口に関連するインデックス特徴部および関連する特定の端子接続部をさらに備え、前記鳩目端子には対応するインデックスが一致する特徴部がないときに、前記鳩目端子が前記特定の端子接続部と結合するのを前記インデックス特徴部が抑止していることを特徴とする、請求項１１に記載のヒューズ・ブロック。
【請求項１３】
前記電力入力開口が、前記ヒューズ方向に延びる電力入力フランジの中に画定されていることを特徴とする、請求項１１に記載のヒューズ・ブロック。
【請求項１４】
前記複数のヒューズ要素に対応する複数の透明なヒューズ・カバーをさらに備えていることを特徴とする、請求項１１に記載のヒューズ・ブロック。
【請求項１５】
前記筐体が１つまたは複数の絶縁壁をさらに備え、各絶縁壁が、隣接する端子接続部間に配置されていることを特徴とする、請求項１１に記載のヒューズ・ブロック。
【請求項１６】
前記筐体が前記筐体の外面上に第１のあり継ぎ特徴部をさらに備え、前記第１のあり継ぎ特徴部が、前記筐体が結合される電力分配箱上の対応する第２のあり継ぎ特徴部と一致するように構成されていることを特徴とする、請求項１１に記載のヒューズ・ブロック。
【請求項１７】
第１および第２のあり継ぎ特徴部が、２つの軸に沿った前記筐体の動きを抑止するように構成されていることを特徴とする、請求項１１に記載のヒューズ・ブロック。
【請求項１８】
前記型押しバスバー組立体が、（ｉ）単一平面に配置されるバスバー材料の一片を設けること、（ｉｉ）前記スタッド開口、前記電力入力開口、および前記複数のヒューズ要素を形成するためにバスバー材料の前記一片を型押しすること、ならびに（ｉｉｉ）バスバー材料の前記一片を曲げて、前記複数の端子接続部が前記端子方向に延びるように配置することによって形成されていることを特徴とする、請求項１１に記載のヒューズ・ブロック。
【請求項１９】
（ｉ）前記型押しバスバー組立体をオーバーモールド成形して、前記筐体の前記第１および第２の部分を形成すること、（ｉｉ）前記複数のヒューズ要素に対応する複数の透明なヒューズ・カバーを取り付けて、前記ヒューズ要素を覆うこと、ならびに（ｉｉｉ）前記最終的な構成で、前記第１の部分と前記第２の部分が前記Ｌ字形状を形成するように配置されるように、前記主電源部分を曲げることによって形成されていることを特徴とする、請求項１８に記載のヒューズ・ブロック。
【請求項２０】
前記筐体の前記第１の部分および第２の部分が対応する固定特徴部を有し、前記最終的な構成で、前記筐体の前記第１の部分が前記固定特徴部を介して前記筐体の前記第２の部分にしっかりと固定されていることを特徴とする、請求項１９に記載のヒューズ・ブロック。
【発明の詳細な説明】
【技術分野】
【０００１】
本開示は、ヒューズ・ブロック組立体に関し、より詳細には、自動車で使用する、小型ヒューズ・ブロック・デバイスに関する。
【背景技術】
【０００２】
本明細書に提供される背景技術の記載は、本開示の文脈を一般的に提示するためである。この背景技術セクションに記載される範囲での、現在名前が示されている発明者の作品、ならびに、出願時点において、さもなければ従来技術と見なされない可能性がある記載の態様は、明示的にも黙示的にも本開示に対する従来技術と認められない。
【発明の概要】
【発明が解決しようとする課題】
【０００３】
車両の電気分配システムは、典型的には、回路保護機能性を実現するため、１つまたは複数のヒューズ組立体を含む。そのような従来型のヒューズ組立体は、かさばり、設置および保守が難しい場合がある。単に例として、いくつかのヒューズ組立体は、複数の角度または方向からの電気接続（たとえば、電気端子）を人間が設置することを必要とする場合がある。そのようなヒューズ組立体は、適切な数の端子接続を含むために、広い幅および／または長い長さを有する場合もある。当技術分野におけるこれらおよび他の制限を克服する、改善されたヒューズ箱組立体を実現することが望ましい。
【課題を解決するための手段】
【０００４】
本開示の様々な実施形態では、自動車用電力分配箱組立体が開示される。電力分配箱組立体は、電力分配箱筐体、ヒューズ・ブロック、および複数の鳩目端子を含むことができる。電力分配箱筐体は、電力分配箱スタッドを含むことができる。ヒューズ・ブロックは、電力分配箱に結合することができる。ヒューズ・ブロックは、型押しバスバー組立体、複数のスタッド、および筐体を含むことができる。型押しバスバー組立体は、第１の端部から第２の端部に長手方向に延びる主電源部分を含むことができる。主電源部分は、第１の側端および第１の側端の反対側の第２の側端を有する矩形形状の本体を有することができる。第１および第２の側端は、第１の端部から第２の端部に延びることができる。
【０００５】
型押しバスバー組立体は、主電源部分の第１の側端から、長手方向に垂直なヒューズ方向に延びる、複数のヒューズ要素を含むことができる。型押しバスバー組立体は、複数のヒューズ要素に結合される、複数の端子接続部をさらに含むことができる。複数の端子接続部の各々は、（ｉ）それぞれのヒューズ要素から、長手方向とヒューズ方向の両方に垂直な端子方向に延びること、（ｉｉ）スタッド開口を画定することができる。
【０００６】
複数のスタッドは、それぞれ、複数の端子接続部に対応することができる。複数のスタッドの各々は、対応するスタッド開口内に配置することができる。筐体は、型押しバスバー組立体を少なくとも部分的に覆うことができ、絶縁材料を含むことができる。筐体は、型押しバスバー組立体および複数のスタッドをオーバーモールド成形することによって形成することができる。
【０００７】
複数の鳩目端子は、それぞれのスタッドおよび端子接続部に結合するように構成することができる。主電源部分は、電力分配箱スタッドを受け入れる、電力入力開口を画定することができる。少なくとも１つのヒューズ要素が電力入力開口のいずれかの側に配置されるように、電力入力開口を、主電源部分の中間部に配置することができる。筐体は、複数の鳩目端子のうちの少なくとも１つが配置される、複数のスタッドの各々に対応するアクセス開口を含むことができる。
【０００８】
本開示の様々な追加または代替実施形態では、ヒューズ・ブロックが開示される。ヒューズ・ブロックは、型押しバスバー組立体、複数のスタッド、および型押しバスバー組立体を少なくとも部分的に覆う筐体を含むことができる。型押しバスバー組立体は、主電源部分、複数のヒューズ要素、および複数の端子接続部を備えることができる。主電源部分は、第１の端部から第２の端部に長手方向に延びることができる。さらに、主電源部分は、第１の側端および第１の側端の反対側の第２の側端を有する矩形形状の本体を有することができる。第１および第２の側端は、第１の端部から第２の端部に延びることができる。
【０００９】
複数のヒューズ要素は、主電源部分の第１の側端から、長手方向に垂直なヒューズ方向に延びて延在することができる。複数の端子接続部は、複数のヒューズ要素に結合することができる。複数の端子接続部の各々は、（ｉ）それぞれのヒューズ要素から、長手方向とヒューズ方向の両方に垂直な端子方向に延びること、（ｉｉ）スタッド開口を画定することができる。複数のスタッドは、それぞれ、複数の端子接続部に対応することができ、複数のスタッドの各々は、対応するスタッド開口内に配置することができる。
【００１０】
筐体は、絶縁材料を含むことができ、型押しバスバー組立体および複数のスタッドをオーバーモールド成形することによって形成することができる。筐体は、複数のスタッドの各々に対応し、それぞれのスタッドおよび端子接続部に結合するため鳩目端子を受け入れるように構成されるアクセス開口をさらに含むことができる。
【００１１】
主電源部分は、電力分配箱スタッドを受け入れるように構成される電力入力開口を画定することができる。少なくとも１つのヒューズ要素が電力入力開口のいずれかの側に配置されるように、電力入力開口を、主電源部分の中間部に配置することができる。
【００１２】
本開示のいくつかの実施形態によれば、別のヒューズ・ブロックが開示される。ヒューズ・ブロックは、型押しバスバー組立体、複数のスタッド、および型押しバスバー組立体を少なくとも部分的に覆う筐体を含むことができる。型押しバスバー組立体は、主電源部分、複数のヒューズ要素、および複数の端子接続部を備えることができる。主電源部分は、第１の端部から第２の端部に長手方向に延びることができる。さらに、主電源部分は、第１の側端および第１の側端の反対側の第２の側端を有する矩形形状の本体を有することができる。第１および第２の側端は、第１の端部から第２の端部に延びることができる。
【００１３】
複数のヒューズ要素は、主電源部分の第１の側端から、長手方向に垂直なヒューズ方向に延びて延在することができる。複数の端子接続部は、複数のヒューズ要素に結合することができる。複数の端子接続部の各々は、（ｉ）それぞれのヒューズ要素から、長手方向とヒューズ方向の両方に垂直な端子方向に延びること、（ｉｉ）スタッド開口を画定することができる。複数のスタッドは、それぞれ、複数の端子接続部に対応することができ、複数のスタッドの各々は、対応するスタッド開口内に配置することができる。
【００１４】
筐体は、絶縁材料を含むことができ、型押しバスバー組立体および複数のスタッドをオーバーモールド成形することによって形成することができる。筐体は、複数のスタッドの各々に対応し、それぞれのスタッドおよび端子接続部に結合するため鳩目端子を受け入れるように構成されるアクセス開口をさらに含むことができる。筐体は、少なくとも１つの第１のスタッドをオーバーモールド成形する第１の部分、および少なくとも１つの第２のスタッドをオーバーモールド成形する第２の部分を備えることができる。第１の部分と第２の部分は、最終的な構成でＬ字形状を形成するように配置することができる。
【００１５】
主電源部分は、電力分配箱スタッドを受け入れるように構成される電力入力開口を画定することができる。
【００１６】
本開示の適用可能なさらなる領域は、以降で提供される詳細な記載から明らかとなるであろう。詳細な記載および特定の例は、説明のためだけを意図しており、本開示の範囲を制限することを意図していないことを理解するべきである。
【００１７】
本開示は、詳細な記載および添付図面から、より十分に理解されることになる。
【図面の簡単な説明】
【００１８】
【図１】本開示のいくつかの実装形態にしたがった例示的なヒューズ・ブロックの型押しバスバー組立体の斜視図である。
【図２】本開示のいくつかの実装形態にしたがった、図１の型押しバスバー組立体を含む例示的なヒューズ・ブロックの斜視図である。
【図３】本開示のいくつかの実装形態にしたがった、図２の取り付けられたヒューズ・ブロックを有する、例示的な電力分配箱組立体の部分斜視図である。
【図４】図３の取り付けられたヒューズ・ブロックを有する、例示的な電力分配箱組立体の拡大した部分図である。
【図５】図２のヒューズ・ブロックの上面図である。
【図６】本開示のいくつかの実装形態にしたがった例示的なヒューズ・ブロックの型押しバスバー組立体の斜視図である。
【図７】本開示のいくつかの実装形態にしたがった、図６の型押しバスバー組立体を含む例示的なヒューズ・ブロックの斜視図である。
【図８】最終的な構成で示される、図７の例示的なヒューズ・ブロックの斜視図である。
【発明を実施するための形態】
【００１９】
以前に議論したように、車両の電気分配システムで利用されるヒューズ組立体は、典型的には、たとえば、かさばり／大きくて設置および保守が難しいといった、多くの制限を受ける。それに応じて、ヒューズ・ブロックおよび関連する電力分配箱組立体が提示される。開示されるヒューズ・ブロックおよび電力分配箱は、コンパクトな設計で、容易に製造される。さらに、開示されるヒューズ・ブロックおよび電力分配箱は、限定しないが、ヒューズ要素を保守／交換するための容易なアクセスを可能にすること、組み立てた状態で位置の保証を可能にすること、単一方向の簡単で容易な端子接続を可能にすることを含む、多くのさらなる利点を提供するように構成される。
【００２０】
ここで図１および図２を参照すると、本開示のいくつかの実装形態にしたがった例示的なヒューズ・ブロック１０が図示される。ヒューズ・ブロック１０は、下でより十分に議論されるように、筐体２００によって少なくとも部分的に覆われる型押しバスバー組立体１００を含むことができる。型押しバスバー組立体１００は、第１の側端１１２および第１の側端１１２の反対側の第２の側端１１４を有する矩形形状の本体を有する主電源部分１１０を含むことができる。主電源部分１１０は、第１の端部１１６から第２の端部１１８に長手方向に（図１に図示されるようにｙ軸に沿って）延びることができる。したがって、型押しバスバー組立体１００の第１の側端１１２および第２の側端１１４は、第１の端部１１６から第２の端部１１８に延びて、矩形形状の本体を画定することができる。型押しバスバー組立体１００は、複数のヒューズ要素１２０を含むこともできる。ヒューズ要素１２０の各々は、型押しバスバー組立体１００の第１の側端１１２または第２の側端１１４のうちの１つから、主電源部分１１０が延びる長手方向に垂直な方向（図１に図示されるようにｚ軸に沿った「ヒューズ方向」）に延びることができる。ヒューズ要素１２０は、下でより十分に議論されるように、主電源部分１１０を複数の端子接続部１３０に接続するように配置される。ヒューズ要素１２０の各々は、その対応する回路についての回路保護機能性を実現するように設計される。
【００２１】
型押しバスバー組立体１００は、ヒューズ要素１２０に結合されてヒューズ要素１２０から延びる複数の端子接続部１３０をさらに含むことができる。端子接続部１３０の各々は、それぞれのヒューズ要素１２０から、長手方向とヒューズ方向の両方に垂直な方向（ｘ軸に沿った「端子方向」）に延びることができる。図１に最もよく図示されるように、型押しバスバー組立体１００が小型であって、ｘｙ平面において比較的小さい断面を有するように、端子接続部１３０を、主電源部分１１０の上方にこのようにして配置することができる。端子接続部１３０の各々は、対応するスタッド１３４を受け入れるように構成されるスタッド開口１３２を画定することができる。したがって、複数のスタッド１３４が複数の端子接続部１３０に対応することができ、その各々は、対応するスタッド開口１３２内に配置される。
【００２２】
型押しバスバー組立体１００は、主電源部分１１０に接続される（たとえば、電池からの）電力を、ヒューズ要素１２０を通して端子接続部１３０の各々に提供できるように、導電性材料から作られる。ヒューズ・ブロック１０のコンパクトな設計を実現するため、型押しバスバー組立体１００の主電源部分１１０が電力入力開口１１５を画定することができる。少なくとも１つのヒューズ要素１２０が電力入力開口１１５のいずれかの側に配置されるように、電力入力開口１１５を、主電源部分１１０の矩形形状の本体の中間部に配置することができる。下でより十分に議論されるように、電力入力開口１１５は、電力分配箱スタッド３３０を受け入れるように構成することができる（図３）。
【００２３】
いくつかの実装形態では、型押しバスバー組立体１００は、位置保証フランジ１４０を含むことができる。位置保証フランジ１４０は、第１の側端１１２または第２の側端１１４のうちの一方から延びることができる。図示される例では、位置保証フランジ１４０は、ヒューズ要素１２０が延びる第１の側端１１２および第２の側端１１４の他方の端部から延びる。さらに、位置保証フランジ１４０は、ｚ軸に沿ったヒューズ方向の反対の方向に延びる。この方法では、型押しバスバー組立体１００は、下でより十分に記載されるように、型押しプロセスによって形成することができる。位置保証フランジ１４０は、電力分配スタッド３３０の周りに型押しバスバー組立体１００が回転するのを抑止することができる（図３参照）。
【００２４】
型押しバスバー組立体１００は、筐体２００によって少なくとも部分的に覆うことができる。筐体２００は、型押しバスバー組立体１００を不注意または偶発的な電気接続から絶縁できるように、絶縁材料を含むことができる。ある種の態様では、筐体２００は、型押しバスバー組立体１００および複数のスタッド１３４をオーバーモールド成形することによって形成することができる。この方法では、筐体２００は、ヒューズ・ブロック１０の要素に対する物理的な支持を提供することができる。単に例として、オーバーモールド成形した筐体２００は、スタッド１３４を、それぞれのスタッド開口１３２の中に、堅固に結合して拘束することができる。
【００２５】
筐体２００は、複数のスタッド１３４の各々に対応するアクセス開口２１０をさらに含むことができる。アクセス開口２１０は、それぞれのスタッド１３４および端子接続部１３０に結合するため鳩目端子２５０を受け入れるように構成することができる。この方法では、鳩目端子２５０は、単一方向に、すなわち、アクセス開口２１０を通して端子接続部１３０に接続される。
【００２６】
いくつかの実装形態では、図５をさらに参照して、筐体２００は、アクセス開口２１０のうちの１つまたは複数に関連するインデックス特徴部２２０および関連する端子接続部１３０を備えることができる。インデックス特徴部は、鳩目端子２５０に対応するインデックスが一致する特徴部２５５がないとき、鳩目端子２５０が特定の端子接続部１３０と結合するのを抑止することができる。追加または代替として、筐体２００は、端子接続部１３０を電気的に分離するため、１つまたは複数の絶縁壁２３０をさらに含むことができる。したがって、各絶縁壁２３０を、隣接する端子接続部１３０間に配置することができる。
【００２７】
図３および図４をさらに参照して、筐体２００は、筐体２００の外面上に、あり継ぎ特徴部４００をさらに備えることができる。あり継ぎ特徴部４００は、筐体２００が結合される電力分配箱３００上の対応するあり継ぎ特徴部３１０と一致するように構成することができる。あり継ぎ特徴部４００、３１０は、たとえば、図１に示されるようなｘ軸およびｙ軸といった、２つの軸に沿った筐体２００の動きを抑止するように構成することができる。
【００２８】
電力分配箱３００は、車両の様々な電気構成要素に電力を分配するための、自動車用電力分配箱であってよい。（中に組み込まれるのとは反対に）電力分配箱３００に結合されることによって、ヒューズ・ブロック１０は、より簡単に保守、交換などを行うことができる。電力分配箱３００に結合すると、ヒューズ・ブロック１０は、埃および他の要素、またはカバー３４０による干渉から保護することができる。カバー３４０は、電力分配箱３００上に形成される第１の固定機構３０５およびカバー３４０上に形成される第２の固定機構３４５を介して、電力分配箱３００と一致することができる。第１および第２の固定機構が協働して、電力分配箱３００をカバー３４０と、しっかりと、だが解放可能に結合することができる。
【００２９】
追加または代替として、筐体２００は、筐体２００が結合される電力分配箱３００上の対応する固定部材３２０と一致するように構成される保持部材４２０を含むことができる。図４の図示される例では、固定部材３２０が、ランプ３２２および固定面３２４を備える。保持部材４２０および固定部材３２０は、たとえば、あり継ぎ特徴部４００、３１０に関連する軸（たとえば、ｘ軸およびｙ軸）の両方に垂直な取外し軸（図１のｚ軸）に沿った、筐体２００の動きを抑止することによって、一致した状態で、電力分配箱３００から筐体２００が取り外されるのを抑止することができる。
【００３０】
上で簡単に述べたように、ヒューズ・ブロック１０は、電力分配スタッド３３０が電力入力開口１１５を通って延びることができるように、電力分配箱３００に結合することができる。電力分配スタッド３３０は、たとえば、車両電池（図示せず）からの電力を入力するために、鳩目端子２５０を受け入れることができる。型押しバスバー組立体１００は、したがって、ヒューズ要素１２０および端子接続部１３０を介して車両電力を分配することができる。より詳細には、各端子接続部１３０は、スタッド１３４に固定される鳩目端子２５０に電気的に結合することができる。鳩目端子２５０は、車両の電気構成要素に電力を提供することができる。
【００３１】
いくつかの実装形態では、型押しバスバー組立体１００は、単一平面（たとえば、図１のｘｙ平面）に配置されるバスバー材料の一片から形成することができる。バスバー材料の一片を型押しして、スタッド開口１３２、電力入力開口１１５、および複数のヒューズ要素１２０、ならびに端子接続部１３０および関連するスタッド開口１３２を形成することができる。一度型押しされると、バスバー材料の一片を曲げて、主電源部分１１０が長手方向に（たとえば、図１のｙ軸に沿って）延び、複数のヒューズ要素１２０がヒューズ方向に（たとえば、図１のｚ軸に沿って）延び、複数の端子接続部１３０が端子方向に（図１のｘ軸に沿って）延びるように配置することができる。この方法では、バスバー材料の一片が開示される型押しバスバー組立体１００の形状をとるように形成して構成することができる。ヒューズ・ブロック１０は、次に、型押しバスバー組立体１００上に筐体２００をオーバーモールド成形することによって完成することができる。加えて、いくつかの実装形態では、オーバーモールド成形した筐体２００は、それぞれのスタッド開口１３２に挿入されているスタッド１３４を堅固に結合して拘束することができる。
【００３２】
ここで図６〜図８を参照すると、本開示のいくつかの代替実装形態にしたがった例示的なヒューズ・ブロック６０が図示される。ヒューズ・ブロック６０は、上で記載したヒューズ・ブロック１０とほぼ同様である。さらに、ヒューズ・ブロック６０の特定の特徴部をヒューズ・ブロック１０へと組み込むことができ、逆も同様であることを理解されたい。したがって、本明細書におけるヒューズ・ブロック６０の記載は、主に、ヒューズ・ブロック１０とヒューズ・ブロック６０の間の違いに向けられることになる。
【００３３】
ヒューズ・ブロック６０は、下でより十分に議論されるように、筐体７００によって少なくとも部分的に覆われる型押しバスバー組立体６００を含むことができる。型押しバスバー組立体６００は、第１の側端６１２および第１の側端５１２の反対側の第２の側端６１４を有する矩形形状の本体を有する主電源部分６１０を含むことができる。主電源部分６１０は、第１の端部６１６から第２の端部６１８に長手方向に（図６に図示されるようにｙ軸に沿って）延びることができる。したがって、型押しバスバー組立体６００の第１の側端６１２および第２の側端６１４は、第１の端部６１６から第２の端部６１８に延びて、矩形形状の本体を画定することができる。型押しバスバー組立体６００は、複数のヒューズ要素６２０を含むこともできる。ヒューズ要素６２０の各々は、型押しバスバー組立体６００の第１の側端６１２および第２の側端６１４のうちの１つから、主電源部分６１０が延びる長手方向に垂直な方向（図６に図示されるようにｚ軸に沿った「ヒューズ方向」）に延びることができる。ヒューズ要素６２０は、下でより十分に議論されるように、主電源部分６１０を複数の端子接続部６３０に接続するように配置される。ヒューズ要素６２０の各々は、その対応する回路についての回路保護機能性を実現するように設計される。
【００３４】
型押しバスバー組立体６００は、ヒューズ要素６２０に結合されてヒューズ要素６２０から延びる複数の端子接続部６３０をさらに含むことができる。端子接続部６３０の各々は、それぞれのヒューズ要素６２０から、長手方向とヒューズ方向の両方に垂直な方向（ｘ軸に沿った「端子方向」）に延びることができる。端子接続部６３０の各々は、対応するスタッド６３４を受け入れるように構成されるスタッド開口６３２を画定することができる。したがって、複数のスタッド６３４が複数の端子接続部６３０に対応することができ、その各々は、対応するスタッド開口６３２内に配置される。
【００３５】
型押しバスバー組立体６００は、主電源部分６１０に接続される（たとえば、電池からの）電力を、ヒューズ要素６２０を通して端子接続部６３０の各々に提供できるように、導電性材料から作られる。ヒューズ・ブロック６０のコンパクトな設計を実現するため、型押しバスバー組立体６００の主電源部分６１０が電力入力開口６１５を画定することができる。本明細書でより十分に議論されるように、電力入力開口６１５は、（図３に図示されるように）電力分配箱スタッド３３０を受け入れるように構成することができる。図６に示されるように、電力入力開口は、ヒューズ方向と同様または同じ方向に（図６におけるｘ軸に沿って）延びることができる、電力入力フランジ６１７の中に画定することができる。
【００３６】
型押しバスバー組立体６００は、筐体７００によって少なくとも部分的に覆うことができる。筐体７００は、型押しバスバー組立体６００を不注意または偶発的な電気接続から絶縁できるように、絶縁材料を含むことができる。ある種の態様では、筐体７００は、型押しバスバー組立体６００および複数のスタッド６３４をオーバーモールド成形することによって形成することができる。この方法では、筐体７００は、ヒューズ・ブロック６０の要素に対する物理的な支持を提供することができる。単に例として、オーバーモールド成形した筐体７００は、スタッド６３４を、それぞれのスタッド開口６３２の中に、堅固に結合して拘束することができる。
【００３７】
筐体７００は、複数のスタッド６３４の各々に対応するアクセス開口７１０をさらに含むことができる。アクセス開口７１０は、それぞれのスタッド６３４および端子接続部６３０に結合するため鳩目端子（上で記載した鳩目端子２５０など）を受け入れるように構成することができる。この方法では、鳩目端子は、単一方向に、すなわち、アクセス開口７１０を通して端子接続部６３０に接続することができる。
【００３８】
いくつかの実装形態では、上で議論した図５をさらに参照して、筐体７００は、アクセス開口７１０のうちの１つまたは複数に関連する（図示しないが、上のインデックス特徴部２２０と同様の）インデックス特徴部および関連する端子接続部６３０を備えることができる。インデックス特徴部は、鳩目端子には対応するインデックスが一致する特徴部（たとえば、インデックスが一致する特徴部２５５）がないときに、鳩目端子が特定の端子接続部６３０と結合するのを抑止することができる。追加または代替として、筐体７００は、端子接続部６３０を電気的に分離するため、１つまたは複数の絶縁壁７３０をさらに含むことができる。したがって、各絶縁壁７３０を、隣接する端子接続部６３０間に配置することができる。任意選択で、複数のヒューズ要素６２０に対応する複数の透明なヒューズ・カバー７５０を設けることができる。ヒューズ・カバー７５０は、外部環境からヒューズ要素６２０を覆って保護することができる。
【００３９】
ヒューズ・ブロック１０と同様に、ヒューズ・ブロック６０は、電力分配スタッド３３０が電力入力開口６１５を通って延びることができるように、電力分配箱３００に結合することができる。電力分配スタッド３３０は、たとえば、車両電池（図示せず）からの電力を入力するために、鳩目端子２５０を受け入れることができる。型押しバスバー組立体６００は、したがって、ヒューズ要素６２０および端子接続部６３０を介して車両電力を分配することができる。より詳細には、各端子接続部６３０は、スタッド６３４に固定される鳩目端子２５０に電気的に結合することができる。鳩目端子２５０は、車両の電気構成要素に電力を提供することができる。
【００４０】
いくつかの実装形態では、型押しバスバー組立体６００は、単一平面（たとえば、図６のｙｚ平面）に配置されるバスバー材料の一片から形成することができる。バスバー材料の一片を型押しして、スタッド開口６３２、電力入力開口６１５、および複数のヒューズ要素６２０、ならびに端子接続部６３０および関連するスタッド開口６３２を形成することができる。一度型押しされると、バスバー材料の一片を曲げて、複数の端子接続部６３０が端子方向に（図６のｘ軸に沿って）延びるように配置することができる。任意選択で、電力入力フランジ６１７を本体部分６１０から曲げて、ある方向に、たとえば、図示されるような端子方向に延ばすこともできる。この方法では、バスバー材料の一片が開示される型押しバスバー組立体６００の形状をとるように形成して構成することができる。ヒューズ・ブロック６０は、次に、型押しバスバー組立体６００上に筐体７００をオーバーモールド成形することによって完成することができる。加えて、いくつかの実装形態では、オーバーモールド成形した筐体７００は、それぞれのスタッド開口６３２に挿入されているスタッド６３４を堅固に結合して拘束することができる。
【００４１】
いくつかの実装形態では、筐体７００が、第１の部分７２０および第２の部分７２５を備えることができる。第１の部分７２０と第２の部分７２５が互いに別個であって、各々は、複数のスタッド６３４のうちの少なくとも１つをオーバーモールド成形することができる。ここで図８を参照すると、第１の部分７２０と第２の部分７２５がＬ字形状を形成するように配置される最終的な構成でヒューズ・ブロック６０が図示される。単に例として、ヒューズ・ブロック６０は、第１の部分７２０および第２の部分７２５を形成するために、型押しバスバー組立体６００をオーバーモールド成形することによって形成することができる。複数のヒューズ・カバー７５０を、ヒューズ要素６２０を覆うために取り付けることができる。次に、図８に示されるように、第１の部分７２０と第２の部分７２５がＬ字形状に配置されるように、主電源部分６１０を曲げることができる。いくつかの実装形態では、筐体７００の第１の部分７２０および第２の部分７２５は、最終的な構成で第１の部分７２０を第２の部分７２５にしっかりと固定する対応する固定特徴部７４０を有することができる。この方法では、単一のヒューズ・ブロック６０を小型の様態で形成することができ、たとえば、車両の電力分配ブロックに巻き付けることができる。
【００４２】
本開示が完全であり、当業者に範囲を十分に伝えるように、例示的な実施形態が提供される。本開示の実施形態の完全な理解を実現するため、具体的な構成要素、デバイス、および方法の例などの、多くの具体的な詳細が記載されている。具体的な詳細を採用する必要はなく、例示的な実施形態は多くの異なった形式で具体化することができ、本開示の範囲を限定すると解釈されるべきでないことが、当業者には明らかとなろう。いくつかの例示的な実施形態では、よく知られている手順、よく知られているデバイス構造、およびよく知られている技術は、詳細には記載されない。
【００４３】
本明細書で使用する用語は、単に、特定の例示的な実施形態を記載するためであって、限定することは意図しない。本明細書で使用する、単数形の「a」、「an」、および「the」は、文脈に指示がない限り、複数形を同様に含むことを意図する場合がある。「および／または」という用語は、関連するリスト化された項目のうちの１つまたは複数の、あらゆるすべての組合せを含む。「備える、含む（comprise）」、「備えている、含んでいる（comprising）」、「含んでいる（including）」、および「有している（having）」という用語は、包含的であり、したがって、述べられた特徴部、整数、ステップ、動作、要素、および／または構成要素の存在を明示するが、１つまたは複数の他の特徴部、整数、ステップ、動作、要素、構成要素、および／またはそれらのグループの存在または追加を排除しない。本明細書に記載される方法ステップ、プロセス、および動作は、性能の順番と具体的に識別されない限り、議論または図示された特定の順番でそれらの性能を必ず必要とすると解釈するべきでない。追加または代替ステップを採用できることも理解されたい。
【００４４】
様々な要素、構成要素、領域、層、および／またはセクションを記載するため、第１、第２、第３などといった用語が本明細書で使用される場合があるが、これらの要素、構成要素、領域、層、および／またはセクションが、これらの用語によって限定されるべきでない。これらの用語は、１つの要素、構成要素、領域、層、またはセクションを別の領域、層、またはセクションから区別するためにのみ使用することができる。「第１の」、「第２の」などの用語、および他の数値の用語は、本明細書で使用するとき、文脈が明らかに示さない限り、順序または順番を暗示しない。したがって、下で議論される第１の要素、構成要素、領域、層、またはセクションは、例示的な実施形態の教示から逸脱することなく、第２の要素、構成要素、領域、層、またはセクションと呼ぶことができる。
【００４５】
本明細書で使用する、モジュールという用語は、特定用途向け集積回路（ASIC）、電子回路、組合せ論理回路、フィールドプログラム可能ゲートアレイ（FPGA）、コードまたはプロセスを実行するプロセッサまたは（共有、専用、またはグループ化）プロセッサの分散型ネットワークおよびネットワーククラスタもしくはデータセンタ中の記憶装置、記載された機能性を実現する他の好適な構成要素、またはシステムオンチップにおいてなど上の一部または全部の組合せのことを呼ぶこと、一部であること、または含むことができる。モジュールという用語は、１つまたは複数のプロセッサによって実行されるコードを記憶する（共有、専用、またはグループ化）メモリを含むこともできる。
【００４６】
上記の議論から明らかであるように、別段に明記されない限り、記載の全体にわたって、「処理する（processing）」または「計算する（computing）」または「計算する（calculating）」または「決定する（determining）」または「表示する（displaying）」などの用語を利用した議論は、コンピュータシステムメモリまたはレジスタまたは他の情報記憶、伝送、もしくは表示デバイス内の物理的な（電子）量として表されるデータを操作して変形するコンピュータシステムまたは同様の電子計算デバイスの動作および処理のことを呼ぶと理解されたい。
【００４７】
実施形態の上の記載は、説明および記載のために提供されている。上の記載は、網羅的であることまたは本開示を限定することを意図していない。特定の実施形態の個々の要素または特徴部は、一般的に、その特定の実施形態に限定されず、適用可能である場合は、具体的に示されたり記載されたりしない場合であってさえ、交換可能であって、選択した実施形態で使用することができる。同じことが、多くの様態に変化することもできる。そのような変形形態は本開示からの逸脱と考えられるべきでなく、すべてのそのような修正形態は、本開示の範囲内に含まれることが意図される。
【符号の説明】
【００４８】
１０  ヒューズ・ブロック
６０  ヒューズ・ブロック
１００  型押しバスバー組立体
１１０  主電源部分
１１２  第１の側端
１１４  第２の側端
１１５  電力入力開口
１１６  第１の端部
１１８  第２の端部
１２０  ヒューズ要素
１３０  端子接続部
１３２  スタッド開口
１３４  スタッド
１４０  位置保証フランジ
２００  筐体
２１０  アクセス開口
２２０  インデックス特徴部
２３０  絶縁壁
２５０  鳩目端子
２５５  特徴部
３００  電力分配箱
３０５  第１の固定機構
３１０  あり継ぎ特徴部
３２０  固定部材
３２２  ランプ
３２４  固定面
３３０  電力分配箱スタッド
３４０  カバー
３４５  第２の固定機構
４００  あり継ぎ特徴部
４２０  保持部材
５１２  第１の側端
６００  型押しバスバー組立体
６１０  主電源部分
６１２  第１の側端
６１４  第２の側端
６１５  電力入力開口
６１６  第１の端部
６１７  電力入力フランジ
６１８  第２の端部
６２０  ヒューズ要素
６３０  端子接続部
６３２  スタッド開口
６３４  スタッド
７００  筐体
７１０  アクセス開口
７２０  第１の部分
７２５  第２の部分
７３０  絶縁壁
７４０  固定特徴部
７５０  ヒューズ・カバー
【図１】
2020043077.tif 000003
【図２】
2020043077.tif 000004
【図３】
2020043077.tif 000005
【図４】
2020043077.tif 000006
【図５】
2020043077.tif 000007
【図６】
2020043077.tif 000008
【図７】
2020043077.tif 000009
【図８】
2020043077.tif 000010
【外国語明細書】
2020043077000001.pdf